(57)【要約】【課題】本発明は、ターミナルの基板部の側面部位を覆って防水性を向上させるとともに、膨出部を組み付ける際の組付性の向上を図ることを目的としている。【解決手段】このため、マグネットスイッチの一端面に導出したメイン端子とコネクティング端子とをモールドキャップで固着し、メイン端子にターミナルを介してバッテリケーブルを接続し、メイン端子とターミナル及びバッテリケーブルの端部を覆うカバーを設けたマグネットスイッチの保護構造において、モールドキャップは各端子間を区画する絶縁リブを備え、ターミナルはメイン端子の挿通用穴部を穿設した基板部とバッテリケーブルを固着する端子接続部を備え、カバーは基板部とメイン端子とを収納するターミナル収容部と端子接続部を収納する収納筒部と絶縁リブを収納する膨出部を備え、ターミナル収容部と端子収納部間に段部を形成し、ターミナル収容部の側部に膨出部を形成している。【選択図】図１
2006307757.tif 000002
【特許請求の範囲】
【請求項１】
スタータに装着されたマグネットスイッチの一端面にメイン端子とコネクティング端子とを導出し、これら各端子をモールドキャップで固着し、前記メイン端子に板状のターミナルを介してバッテリケーブルを接続するとともに前記メイン端子とターミナル及びバッテリケーブルの端部を覆うカバーを設けたマグネットスイッチの保護構造において、前記モールドキャップは前記各端子間を区画する絶縁リブを備え、前記ターミナルは前記メイン端子が挿通される穴部を穿設した基板部と前記バッテリケーブルを固着する端子接続部とを備え、前記カバーは前記ターミナルの基板部と前記メイン端子とを収納するターミナル収容部と前記端子接続部を収納する収納筒部と前記絶縁リブを収納する膨出部とを備え、前記ターミナル収容部と前記端子収納部との間に段部を形成し、該ターミナル収容部の側部に前記膨出部を形成したことを特徴とするマグネットスイッチの保護構造。
【請求項２】
前記ターミナル収容部と膨出部との間に仕切壁を形成したことを特徴とする請求項１に記載のマグネットスイッチの保護構造。
【請求項３】
前記ターミナル収容部の内側にターミナルの基板部に当接する位置決め部を設けたことを特徴とする請求項２に記載のマグネットスイッチの保護構造。
【請求項４】
前記膨出部は前記絶縁リブの上側を覆うことを特徴とする請求項２に記載のマグネットスイッチの保護構造。
【請求項５】
前記膨出部に前記モールドキャップの段部に係合する切欠部を設けたことを特徴とする請求項４に記載のマグネットスイッチの保護構造。
【発明の詳細な説明】
【技術分野】
【０００１】
この発明はマグネットスイッチの保護構造に係り、特にマグネットスイッチの一端面に設けられるメイン端子とターミナル及びバッテリケーブルの端部を覆うカバーを有するマグネットスイッチの保護構造に関するものである。
【背景技術】
【０００２】
エンジンを始動するスタータに装着されるマグネットスイッチがある。このマグネットスイッチは、一端面にメイン端子とコネクティング端子とを導出させ、これら各端子をモールドキャップで固着し、前記メイン端子に板状のターミナルを介してバッテリケーブルを接続するとともに、前記メイン端子とターミナル及びバッテリケーブルの端部をカバーにて覆ったマグネットスイッチの保護構造を有している。
【０００３】
【特許文献１】特開２００２−２４２８０２号公報
【特許文献２】特開２００３−１３９０２５号公報
【発明の開示】
【発明が解決しようとする課題】
【０００４】
ところで、従来のマグネットスイッチの保護構造において、メイン端子（「スタータ端子」ともいう。）は常時電圧がかかっている端子であるため、水掛かりや接触を防止することのできるカバーで覆われている。
【０００５】
しかし、以下のような問題点があった。
（１）スタータ本体の形状が複雑であるため、嵌合性が悪い。
（２）スタータ端子であるメイン端子とカバー形状が合致していない。
（３）カバーにて覆った場合に、一部覆いきれないところがある。
（４）スタータ端子であるメイン端子とカバー形状が合致していないため、カバーが回転してしまう。
【０００６】
追記すれば、従来のマグネットスイッチの保護構造においては、図２０及び図２１に示す如く、スタータ１０２に装着されるマグネットスイッチ１０４の一端面にメイン端子１０６とコネクティング端子１０８とを導出させ、これら各端子１０６、１０８をモールドキャップ１１０で固着し、前記メイン端子１０６に板状のターミナル１１２を介してバッテリケーブル１１４を接続するとともに、前記メイン端子１０６とターミナル１１２及びバッテリケーブル１１４の端部を、図２０〜図２２に開示されるカバー１１６にて覆っている。
【０００７】
このとき、前記モールドキャップ１１０は、図２０及び図２３に示す如く、メイン端子１０６とコネクティング端子１０８との間を区画する絶縁リブ１１８を備えているため、カバー１１６の取付時に、カバー１１６が絶縁リブ１１８に引っ掛かってしまい、取付作業性が悪いという不都合がある。
【０００８】
また、前記メイン端子１０６と前記カバー１１６の形状とが合致していないため、カバー１１６を取り付けた際には、図２１及び図２５に示す如く、マグネットスイッチ１０４とカバー１１６との間に隙間Ｓが生じてしまい、前記ターミナル１１２の側面を覆うことができないという不都合がある。
【課題を解決するための手段】
【０００９】
そこで、この発明は、上述不都合を除去するために、スタータに装着されたマグネットスイッチの一端面にメイン端子とコネクティング端子とを導出し、これら各端子をモールドキャップで固着し、前記メイン端子に板状のターミナルを介してバッテリケーブルを接続するとともに前記メイン端子とターミナル及びバッテリケーブルの端部を覆うカバーを設けたマグネットスイッチの保護構造において、前記モールドキャップは前記各端子間を区画する絶縁リブを備え、前記ターミナルは前記メイン端子が挿通される穴部を穿設した基板部と前記バッテリケーブルを固着する端子接続部とを備え、前記カバーは前記ターミナルの基板部と前記メイン端子とを収納するターミナル収容部と前記端子接続部を収納する収納筒部と前記絶縁リブを収納する膨出部とを備え、前記ターミナル収容部と前記端子収納部との間に段部を形成し、該ターミナル収容部の側部に前記膨出部を形成したことを特徴とする。
【発明の効果】
【００１０】
以上詳細に説明した如くこの本発明によれば、モールドキャップは各端子間を区画する絶縁リブを備え、ターミナルはメイン端子が挿通される穴部を穿設した基板部とバッテリケーブルを固着する端子接続部とを備え、カバーはターミナルの基板部とメイン端子とを収納するターミナル収容部と端子接続部を収納する収納筒部と絶縁リブを収納する膨出部とを備え、ターミナル収容部と端子収納部との間に段部を形成し、ターミナル収容部の側部に膨出部を形成したので、前記段部によりターミナルの基板部の側面部位を覆って防水性を向上させることができるとともに、前記膨出部を絶縁リブに引っ掛けて組み付けることにより、組付性の向上を図ることができる。
【発明を実施するための最良の形態】
【００１１】
上述の如く発明したことにより、前記カバーを取り付けた際には、段部によりターミナルの基板部の側面部位を覆って防水性を向上させるとともに、前記膨出部を絶縁リブに引っ掛けて組み付けて組付性の向上を図っている。
【実施例】
【００１２】
以下図面に基づいてこの発明の実施例を詳細に説明する。
【００１３】
図１〜図１９はこの発明の実施例を示すものである。図１〜図７、図９において、２はスタータ（このスタータ２は、図６から明らかなように、スタータケース２ａ内に包持されており、以下はスタータ２とスタータケース２ａとを合わせて、単に「スタータ２」として説明する。）、４はマグネットスイッチ、６はマグネットスイッチ４の一端面に導出されるメイン端子、８はマグネットスイッチ４の一端面に導出されるコネクティング端子、１０はモールドキャップ、１２は板状に形成したターミナル、１４はバッテリケーブル、１６はカバーである。
【００１４】
つまり、前記スタータ２に装着されたマグネットスイッチ４の一端面に、図１に示す如く、メイン端子６とコネクティング端子８とを平行状態に導出し、これら各端子６、８を前記モールドキャップ１０で固着する。
【００１５】
そして、図１及び図７に示す如く、前記メイン端子６に板状のターミナル１２を介してバッテリケーブル１４を接続するとともに、図１及び図２、図９に示す如く、前記メイン端子６とターミナル１２及びバッテリケーブル１４の端部を覆う前記カバー１６を設けている。
【００１６】
このとき、前記モールドキャップ１０は前記各端子６、８間を区画する絶縁リブ１８を備え、前記ターミナル１２は前記メイン端子６が挿通される穴部２０を穿設した基板部２２と前記バッテリケーブル１４を固着する端子接続部２４とを備え、前記カバー１６は前記ターミナル１２の基板部２２と前記メイン端子６とを収納するターミナル収容部２６と前記端子接続部２４を収納する収納筒部２８と前記絶縁リブ１８を収納する膨出部３０とを備え、前記ターミナル収容部２６と前記端子収納部２４との間に段部３２を形成し、該ターミナル収容部２６の側部に前記膨出部３０を形成する構成とする。
【００１７】
詳述すれば、前記モールドキャップ１０は、図１及び図３、図４、図６、図７、図９に示す如く、メイン端子６とコネクティング端子８との間を区画する絶縁リブ１８を設けている。
【００１８】
また、前記ターミナル１２は、図８に示す如く、前記メイン端子６が挿通される穴部２０を穿設した平板状の基板部２２と、前記バッテリケーブル１４を固着する断面Ｕ字形状の端子接続部２４とを設ける。
【００１９】
更に、前記カバー１６は、図１０及び図１１に示す如く、前記ターミナル１２の基板部２２と前記メイン端子６とを収納するために、一側を開放した箱状のターミナル収容部２６と、前記端子接続部２４を収納するために、箱状のターミナル収容部２６の他側に連絡する収納筒部２８と、前記絶縁リブ１８を収納する膨出部３０とを有する。
【００２０】
更にまた、図１２（ｂ）及び図１３に示す如く、前記ターミナル収容部２６の前記端子収納部２４側の縁部に段部３２を形成し、図１及び図１０、図１１、図１４（ａ）に示す如く、該ターミナル収容部２６の側部に前記膨出部３０を形成する。
【００２１】
前記カバー１６のターミナル収容部２６と膨出部３０との間には、図１０（ｅ）及び図１１（ｂ）、図１４（ａ）に示す如く、仕切壁３４を形成する。
【００２２】
つまり、前記膨出部３０は、図１０（ｅ）及び図１１（ｂ）、図１４（ａ）に示す如く、前記カバー１６のターミナル収容部２６の側部において、収納筒部２８から離間する側（図１０（ｅ）において左側）を面一状態に延出させて形成されており、ターミナル収容部２６と膨出部３０との間で、収納筒部２８から離間する側（図１０（ｅ）において左側）から収納筒部２８側（図１０（ｅ）において右側）に突出させて前記仕切壁３４を形成するものである。
【００２３】
前記カバー１６のターミナル収容部２６の内側にターミナル１２の基板部２２に当接する位置決め部３６を設ける。
【００２４】
つまり、図１０（ｅ）に示す如く、前記ターミナル収容部２６の内側、かつ前記収納筒部２８側（図１０（ｅ）において右側）に対峙する突起３８−１、３８−２を設け、この突起３８−１、３８−２を前記位置決め部３６として機能させるものである。
【００２５】
また、前記膨出部３０は前記絶縁リブ１８の上側を覆う形状に形成する。
【００２６】
つまり、前記膨出部３０は、上述したように前記カバー１６のターミナル収容部２６の側部において、収納筒部２８から離間する側（図１０（ｅ）において左側）を面一状態に延出させて形成されているが、延出させる際に、収納筒部２８から離間する側（図１０（ｅ）において左側）のみでなく、この収納筒部２８から離間する側（図１０（ｅ）において左側）と収納筒部２８側（図１０（ｅ）において右側）との中間部位をも延出させており、図１及び図４、図７に示す如き細長い鼓形状とした前記絶縁リブ１８の上側部位を覆う形状となっている（図９参照）。
【００２７】
更に、前記膨出部３０に前記モールドキャップ１０の段部４０に係合する切欠部４２を設ける。
【００２８】
つまり、モールドキャップ１０には、図１４（ｂ）に示す如く、段部４０が形成されている。
【００２９】
このとき、前記カバー１６を取り付けた際に隙間を解消するために、前記ターミナル収容部２６と前記膨出部３０とを区画する壁面部位、及び膨出部３０の収納筒部２８側（図１０（ｅ）において右側）を切除して前記切欠部４２を形成するものである。
【００３０】
次に作用を説明する。
【００３１】
前記スタータ２に装着されたマグネットスイッチ４の一端面において、導出されるメイン端子６を覆う前記カバー１６を取り付ける際には、図１に示す如く、メイン端子６とコネクティング端子８とモールドキャップ１０で固着し、メイン端子６に板状のターミナル１２を介してバッテリケーブル１４を接続する。
【００３２】
このとき、メイン端子６に板状のターミナル１２を介してバッテリケーブル１４を接続する場合には、ターミナル１２の基板部２２に穿設した穴部２０にメイン端子６を挿通させるとともに、ターミナル１２の断面Ｕ字形状に形成した端子接続部２４にバッテリケーブル１４を固着するものである。
【００３３】
そして、図１及び図１６に示す如く、バッテリケーブル１４を収納筒部２８に挿通させた状態で前記カバー１６をメイン端子６側にスライド移動させ、図９及び図１７、図１９に示す如く、メイン端子６とターミナル１２及びバッテリケーブル１４の端部を覆うようにカバー１６を取り付ける。
【００３４】
このとき、カバー１６の前記ターミナル収容部２６と前記端子収納部２４との間に形成した段部３２は、図１２（ｂ）及び図１３に示す如く、前記ターミナル１２の基板部２２の側面部位に位置する。
【００３５】
また、カバー１６に形成される前記膨出部３０は、図９に示す如く、細長い鼓形状とした前記絶縁リブ１８の上側部位を覆う。
【００３６】
更に、前記カバー１６のターミナル収容部２６の内側に形成した位置決め部３６は、カバー１６を取り付けた際にターミナル１２の基板部２２に当接することとなり、カバー１６内におけるターミナル１２の位置決め、つまり、固定されているターミナル１２に対するカバー１６の位置決めが果たされる。
【００３７】
更にまた、前記膨出部３０に設けた切欠部４２は、カバー１６を取り付けた際に、図１４（ｂ）に示す如く、モールドキャップ１０に形成される段部４０に係合し、同時に、前記前記カバー１６のターミナル収容部２６と膨出部３０との間に形成した仕切壁３４が段部４０の上面に位置する。
【００３８】
これにより、前記モールドキャップ１０は前記各端子６、８間を区画する絶縁リブ１８を備え、前記ターミナル１２は前記メイン端子６が挿通される穴部２０を穿設した基板部２２と前記バッテリケーブル１４を固着する端子接続部２４とを備え、前記カバー１６は前記ターミナル１２の基板部２２と前記メイン端子６とを収納するターミナル収容部２６と前記端子接続部２４を収納する収納筒部２８と前記絶縁リブ１８を収納する膨出部３０とを備え、前記ターミナル収容部２６と前記端子収納部２４との間に段部３２を形成し、該ターミナル収容部２６の側部に前記膨出部３０を形成する構成としたことによって、前記段部３２によりターミナル１２の基板部２２の側面部位を覆って防水性を向上させることができるとともに、前記膨出部３０を絶縁リブ１８に引っ掛けて組み付けることにより、組付性の向上を図ることができる。
【００３９】
また、前記カバー１６のターミナル収容部２６と膨出部３０との間に仕切壁３４を形成したことにより、この仕切壁３４をガイドとしてカバー１６を組み付けることができ、カバー１６の組付性の向上を図ることができるものである。
【００４０】
更に、前記カバー１６のターミナル収容部２６の内側にターミナル１２の基板部２２に当接する位置決め部３６を設けたことにより、この位置決め部３６によりターミナル１２の基板部２２が規制されることとなり、カバー１６の抜けを防止することができる。
【００４１】
更にまた、前記膨出部３０を前記絶縁リブ１８の上側を覆う形状に形成したことにより、膨出部３０とコネクティング端子８との干渉を防止することができ、実用上有利である。
【００４２】
また、前記膨出部３０に前記モールドキャップ１０の段部４０に係合する切欠部４２を設けたことにより、カバー１６をモールドキャップ１０の段部４０を超えて挿入することができるので、防水性の向上を図ることができる。
【００４３】
更に、前記膨出部３０や前記段部３２、前記仕切壁３４、前記位置決め部３６、そして前記切欠部４２は、カバー１６の取付後にカバー１６の取付状態を維持するように堅固に作用することにより、図１５に矢印で示す如き回転方向に対して、カバー１６の回転防止としても機能するものである。
【図面の簡単な説明】
【００４４】
【図１】この発明の実施例を示すスタータに装着されたマグネットスイッチの一端面にカバーを取り付ける状態の斜視図である。
【図２】マグネットスイッチの一端面にカバーを取り付けた状態の説明図である。
【図３】スタータとマグネットスイッチの平面図である。
【図４】スタータとマグネットスイッチの左側面図である。
【図５】スタータとマグネットスイッチの右側面図である。
【図６】スタータとマグネットスイッチの一部断面平面図である。
【図７】スタータに装着されたマグネットスイッチの一端面にターミナルを取り付けた状態の斜視図である。
【図８】ターミナルの斜視図である。
【図９】スタータに装着されたマグネットスイッチの一端面にカバーを取り付けた状態の斜視図である。
【図１０】カバーを示し、（ａ）はカバーの平面図、（ｂ）はカバーの左側面図、（ｃ）はカバーの正面図、（ｄ）はカバーの右側面図、（ｅ）はカバーの底面図である。
【図１１】カバーを示し、（ａ）はカバーの正面側からの斜視図、（ｂ）はカバーの裏面側からの斜視図である。
【図１２】ターミナルを示し、（ａ）はターミナルの正面図、（ｂ）はターミナルをカバーで覆った状態の正面図である。
【図１３】カバーの断面図である。
【図１４】カバーの仕切壁及び切欠部を示し、（ａ）はカバー裏面側からの斜視図、（ｂ）はカバーに覆われるマグネットスイッチの一端面に位置するモールドキャップの段部の斜視図である。
【図１５】ターミナルをカバーで覆った状態の概略斜視図である。
【図１６】ターミナルをカバーで覆う状態を示し、（ａ）はターミナルをカバーで覆う状態の斜視図、（ｂ）はターミナルをカバーで覆った状態の斜視図である。
【図１７】ターミナルをカバーで覆った状態の概略説明図である。
【図１８】マグネットスイッチの一端面にカバーを取り付ける状態を説明した斜視図である。
【図１９】マグネットスイッチの一端面にカバーを取り付けた状態を説明した概略図である。
【図２０】この発明の従来技術を示すスタータに装着されたマグネットスイッチの一端面にカバーを取り付けた状態の斜視図である。
【図２１】マグネットスイッチの一端面にカバーを取り付けた状態の説明図である。
【図２２】カバーを示し、（ａ）はカバーの正面側からの斜視図、（ｂ）はカバーの裏面側からの斜視図である。
【図２３】カバーとマグネットスイッチの一端面に位置するモールドキャップの段部との斜視図である。
【図２４】ターミナルをカバーで覆った状態の斜視図である。
【図２５】マグネットスイッチの一端面にカバーを取り付けた状態を説明した概略図である。
【符号の説明】
【００４５】
２  スタータ
４  マグネットスイッチ
６  メイン端子
８  コネクティング端子
１０  モールドキャップ
１２  ターミナル
１４  バッテリケーブル
１６  カバー
１８  絶縁リブ
２０  穴部
２２  基板部
２４  端子接続部
２６  ターミナル収容部
２８  収納筒部
３０  膨出部
３２  段部
３４  仕切壁
３６  位置決め部
３８−１、３８−２  突起
４０  段部
４２  切欠部
【図１】
2006307757.tif 000003
【図２】
2006307757.tif 000004
【図３】
2006307757.tif 000005
【図４】
2006307757.tif 000006
【図５】
2006307757.tif 000007
【図６】
2006307757.tif 000008
【図７】
2006307757.tif 000009
【図８】
2006307757.tif 000010
【図９】
2006307757.tif 000011
【図１０】
2006307757.tif 000012
【図１１】
2006307757.tif 000013
【図１２】
2006307757.tif 000014
【図１３】
2006307757.tif 000015
【図１４】
2006307757.tif 000016
【図１５】
2006307757.tif 000017
【図１６】
2006307757.tif 000018
【図１７】
2006307757.tif 000019
【図１８】
2006307757.tif 000020
【図１９】
2006307757.tif 000021
【図２０】
2006307757.tif 000022
【図２１】
2006307757.tif 000023
【図２２】
2006307757.tif 000024
【図２３】
2006307757.tif 000025
【図２４】
2006307757.tif 000026
【図２５】
2006307757.tif 000027